(57)【要約】【目的】  前進距離やセル半径に応じた遅延期間をデータ受信タイミングから除外して不要なデータ受信や処理を削減する。【構成】  受信タイミング決定部１２は無線基地局装置１１と前進基地局５１間の距離及び該前進基地局のセル半径に基づいてセル内に存在する移動機７１から送信されるデータの受信タイミングを決定する。データ受信部１３はこの受信タイミングで受信動作を行って移動機からのデータを受信し、遅延プロファイル作成部１４は該受信データに基づいて遅延プロファイルを作成し、パス検出部１５は該遅延プロファイルに基づいて移動機７１からのパスを検出する。【選択図】        図１
2006101308.tif 000002
【特許請求の範囲】
【請求項１】
前進基地局を経由して移動機との間で通信を行なう無線基地局装置において、
無線基地局装置と前進基地局間の距離及び該前進基地局のセル半径に基づいてセル内に存在する移動機から送信されるデータの受信タイミングを決定する受信タイミング決定部、
前記受信タイミングで受信動作を行って前記移動機からのデータを受信するデータ受信部、
該受信データに基づいて遅延プロファイルを作成する遅延プロファイル作成部、
該遅延プロファイルに基づいて前記移動機からのパスを検出すパス検出部、
検出されたパスを介して受信した信号よりデータを復調する復調部、
を備えたことを特徴とする無線基地局装置。
【請求項２】
前記前進基地局には、該前進基地局にカスケード接続された前進基地局が含まれることを特徴とする請求項１記載の無線基地局装置。
【請求項３】
移動機の移動に伴うハンドオーバを制御するハンドオーバ制御部を備え、該ハンドオーバ制御部の制御に基づいて、前記受信タイミング決定部はハンドオーバに関係するセルを介して該移動機が送信するデータの受信タイミングを決定し、遅延プロファイル作成部は前記決定した各受信タイミングで各セルから受信したデータに基づいて遅延プロファイルを作成し、前記パス検出部は前記作成した全遅延プロファイルより電力が大きいパスを検出する、
ことを特徴とする請求項１または２記載の無線基地局装置。
【請求項４】
前記ハンドオーバ制御部は、前記各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する、
ことを特徴とする請求項３記載の無線基地局装置。
【請求項５】
前記ハンドオーバ制御部は、ハンドオーバ中の移動機の全セルにおけるチャネルを管理し、全チャネルの遅延プロファイルが揃った移動機から前記パス検出を行なう、
ことを特徴とする請求項３記載の無線基地局装置。
【請求項６】
前進基地局を介して移動機との間で通信を行なうと共に、移動機から前進基地局までのパスを検出し、該パスより受信した信号よりデータを復調する無線基地局装置におけるパスサーチ回路において、
無線基地局装置と前進基地局間の距離及び該前進基地局のセル半径に基づいてセル内に存在する移動機から送信されるデータの受信タイミングを決定する受信タイミング決定部、
前記受信タイミングで受信動作を行って前記移動機からのデータを受信するデータ受信部、
該受信データに基づいて遅延プロファイルを作成する遅延プロファイル作成部、
該遅延プロファイルに基づいて前記移動機からのパスを検出すパス検出部、
を備えたことを特徴とするパスサーチ回路。
【請求項７】
移動機の移動に伴うハンドオーバを制御するハンドオーバ制御部を備え、該ハンドオーバ制御部の制御に基づいて、前記受信タイミング決定部はハンドオーバに関係するセルを介して該移動機が送信するデータの受信タイミングを決定し、遅延プロファイル作成部は前記決定した各受信タイミングで各セルから受信したデータに基づいて遅延プロファイルを作成し、前記パス検出部は前記作成した全遅延プロファイルより電力が大きいパスを検出する、
ことを特徴とする請求項６記載のパスサーチ回路。
【請求項８】
前記ハンドオーバ制御部は、前記各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する、
ことを特徴とする請求項７記載のパスサーチ回路。
【請求項９】
前記ハンドオーバ制御部は、ハンドオーバ中の移動機の全セルにおけるチャネルを管理し、全チャネルの遅延プロファイルが揃った移動機から前記パス検出を行なう、
ことを特徴とする請求項７記載のパスサーチ回路。
【請求項１０】
前進基地局を介して移動機との間で通信を行なうと共に、移動機から前進基地局までのパスを検出し、該パスより受信した信号よりデータを復調する無線基地局装置におけるパスサーチ方法おいて、
無線基地局装置と前進基地局間の距離及び該前進基地局のセル半径に基づいてセル内に存在する移動機から送信されるデータの受信タイミングを決定し、
前記受信タイミングで受信動作を行って前記移動機からのデータを受信し、
該受信データに基づいて遅延プロファイルを作成し、
該遅延プロファイルに基づいて前記移動機からのパスを検出する、
ことを特徴とするパスサーチ方法。
【発明の詳細な説明】
【技術分野】
【０００１】
本発明は無線基地局装置及びパスサーチ方法に係わり、特に前進基地局を介して移動機との間で通信を行なうと共に、移動機から前進基地局までのマルチパスを検出し、各パスより受信した信号を合成して処理する無線基地局装置及びパスサーチ方法に関する。
【背景技術】
【０００２】
移動通信では、移動体の速度および搬送波の周波数によって決まる最大周波数をもった、ランダムな振幅・位相の変化、フェージングが起こり、これによって固定の無線通信に比較して、安定した受信が非常に難しい。このような周波数選択性フェージングの影響による劣化を軽減するものとして、スペクトラム拡散通信方式が有効である。それは挟帯域の信号を高帯域に拡散して送信するため、ある固有の周波数域で受信電界強度の落ち込みが生じても、その他の帯域から情報を誤り少なく復元できるからである。このため、DS-CDMA(Direct Sequence Code Division Multiple Access:直接拡散符号分割多元接続)技術が第３世代のデジタルセルラー無線通信システムにおいて採用されている。このDS-CDMAでは、複数のチャネル（ユーザ）の伝送情報は拡散符号により多重され、無線回線などの伝送路を通じて伝送される。
又、移動通信では、遠くの高層ビルや山などからの遅延波により、受信機周辺の環境によって上記と同様のフェージングが生じるとマルチパスフェージング環境となる。ＤＳの場合、この遅延波は拡散符号に対して干渉波となるため受信特性の劣化を招く。この遅延波を特性改善に積極的に用いる方法の一つとして、ＲＡＫＡ受信方式（レーク受信方式）が知られている。これはマルチパスの各パスを介して到来する各遅延波毎に逆拡散を行ない、それぞれの遅延時間を揃えて合成する方式である。
【０００３】
図１２はDS-CDMAの無線基幹基地局装置1のセル構成説明図であり、基地局装置１を中心にしたセル２は複数、例えば６個のセル３1〜セル３6に分割され、各セル内に指向性アンテナ４1〜４6が設けられている。なお、各セルにつき１本のアンテナを示したが、２本のダイバーシチアンテナを設ける構成が一般的である。
基幹基地局装置1は各アンテナを介してセル内の各移動局と無線信号を送受するようになっている。例えば、基幹基地局装置1は、移動局５からの信号をアンテナ４3で受信し、該受信信号と希望信号との相関を演算して、セル半径Ｒ分の遅延プロファイルを作成し、該遅延プロファイルのピークに基づいて移動局５から基幹基地局装置1までのマルチパスを検出し、各パスを介して到来する信号に全移動機からの電波を受信して通信することができる。
【０００４】
図１３は基地局装置1を構成するパスサーチ部６とレーク合成／復調部７のブロック図である。レーク合成／復調部７は、マルチパスの各パスに応じて設けられたフィンガー部７1，７２，７３、各フィンガー部の出力を合成するレーク合成部７ｄを有している。パスサーチ部６はマッチトフィルタ（ＭＦ：matched filter）６ａ、積分回路６ｂ、パス検出部６ｃを備え、マルチパスを検出し、各パスを介して到来する信号の到来時刻あるいは基準時刻からの遅延時間を識別し、各パスに応じたフィンガー部に逆拡散開始のタイミングデータｔ1〜ｔ3及び遅延時間調整データＤ1〜Ｄ3を入力する。マッチトフィルタ６ａと積分回路６ｂは遅延プロファイル作成部を構成する。
【０００５】
マッチトフィルタ６ａは、マルチパスの影響を受けた直接拡散信号が入力すると、受信信号に含まれる希望信号の自己相関演算を行って積分回路６ｂよりセル半径分の遅延プロファイル（図１４）を出力する。パス検出部６ｃは積分回路６ｂが出力するセル半径分の遅延プロファイルを参照し、しきい値より大きなマルチパス信号ＭＰ１、ＭＰ２、ＭＰ３に基づいてマルチパスを検出し、マルチパスを構成する各パス及び遅延時間ｔ１，ｔ２，ｔ３を検出し、各パスに応じたフィンガー部７１，７２，７３に逆拡散開始のタイミングデータｔ１，ｔ２，ｔ３及び遅延時間調整データＤ１，Ｄ２，Ｄ３を入力する。
各パスに応じたフィンガー部７１，７２，７３は同一構成になっており、逆拡散回路７ａ、復調回路７ｂ、遅延回路７ｃを有している。各逆拡散回路７ａはパスサーチ部６より指示されたタイミング（ｔ１〜ｔ３）で自チャンネルの拡散コードを用いて受信Ｉch信号，Ｑch信号に逆拡散処理を施す。復調回路７ｂは逆拡散により得られたＩシンボルデータＤＩ′，ＱシンボルデータＤＱ′を用いて元のデータを復調し、遅延回路７ｃはパスサーチ部６より指示された時間（Ｄ１〜Ｄ３）遅延して出力する。この結果、各フィンガー部は移動機の拡散符号と同一タイミングで逆拡散し、かつ、パスに応じて遅延時間を調整し、位相を揃えてレーク合成部７ｄに入力し、レーク合成部７ｄは入力信号を合成して出力する。
【０００６】
図１２のセル構成は都市、郊外等のように多数の移動機が広い範囲にわたって存在する地域において好適である。しかし、山岳地帯のように移動機が存在する場所が散在する地域や、トンネルのように細長い地域などに不向きである。このため、図１５に示す前進基地局を備えたセル構成も提案されている。このセル構成では無線基幹基地局装置１に複数の前進基地局８ａ〜８ｆを光ケーブル９ａ〜９ｆで接続し、無線基幹基地局装置１が前進基地局８ａ〜８ｆを介してそれぞれセル（セルということもある）１０ａ〜１０ｆ内に存在する移動機と通信を行うようになっている。前進基地局８ａ〜８ｆは、無線基幹基地局装置１とセル１０ａ〜１０ｆ内の移動機との間のデータ通信を中継するだけであり、図示しないがアンテナ、無線送受信部、ＡＤ変換／ＤＡ変換部、ＯＥ／ＥＯ変換部等の簡単な構成になっている。
かかる図１５の前進基地局を使用したセル構成において、セル１０ａ〜１０ｆは前進基地局８ａ〜８ｆを中心とした小セルを単位としており、セル半径は必ずしも同一ではない。又、無線基幹基地局装置１と各前進基地局８ａ〜８ｆ間の距離(前進距離)はセルの位置により変化し、同一でない。このため、無線基幹基地局装置１は前進距離やセル半径に応じて遅延プロファイルデータの生成タイミングやそのデータ長を適宜変える必要がある。
【０００７】
しかし、従来の製品群においては、前進距離やセル半径を考慮に入れた遅延プロファイルの生成処理を行っておらず、図１５のセル構成では、前進基地局位置に関係なく４０（ｋｍ）に相当する時間幅の遅延プロファイルの作成およびパスサーチを行う必要があり、パス検出処理の大きな負担となっている。すなわち、前進距離が長いと前進基地局から無線基幹基地局装置１に信号が届くまでに相当の遅延時間が発生する。従来はこの遅延時間の間の信号が来ない期間においても信号受信動作を続ける必要があり、パス検出処理の大きな負担となり、その結果、回路規模の増大や収容チャネル数の低減を招いていた。また、前進距離によっては前進基地局のセル半径に制限が生じることとなっている。
例えばW-CDMA方式において、基地局装置１とセル１０ａ内の移動機５間の送受シーケンスは図１６に示すようになる。すなわち、(Ａ)に示すように、時刻Ｔ0において基地局装置１から送信した信号は、前進距離及びセル半径に応じた下り遅延時間ｔd1経過後の時刻Ｔ1に移動機５に到達する。移動機５は下り信号受信後に固定のタイミングオフセット期間(１０２４チップに相当する期間)ｔcが経過するまで待ち、該時間経過後の時刻Ｔ2において上り信号を送信する。この上り信号は前進距離及びセル半径に応じた上り遅延時間ｔd2経過後の時刻Ｔ3に基地局装置１に到達する。
【０００８】
基地局装置１は下り信号送出後、(Ｂ)に示すように前記固定のタイミングオフセット期間ｔcが経過する時刻Ｔ12から受信動作を開始し、時刻Ｔ3において上り信号を受信してからセル半径に応じた時間分該上り信号を受信し、これにより時間幅Ｔ12〜Ｔ4の遅延プロファイルを作成し、該遅延プロファイルに基づいてマルチパスを検出する。以上のように従来、基地局装置１は前進距離、セル半径に応じた遅延時間（ｔd1＋ｔd2）を考慮していない、このため、該遅延時間を含む長時間の遅延プロファイルデータを作成してパスサーチすることとなり、無駄なデータの取得や処理を行う問題があった。特に、上記の送受信制御はチャネル(ユーザ)毎に行うためその影響は大きく、パス検出処理の大きな負担となり、回路規模の増大や収容チャネル数の低減を招いている。
従来技術として、広範囲のパスサーチを行なわず、移動機あるいはハンドオーバ先基地局における信号復調を速やかに行うことが可能なスペクトラム拡散通信システムがある(たとえば、特許文献１の請求項１及び図１３参照)。
【特許文献１】特開２０００−５０３３８号公報
【発明の開示】
【発明が解決しようとする課題】
【０００９】
上記文献の従来技術は、移動機がハンドオーバするときに、ハンドオーバ元の基地局とハンドオーバ先の基地局との間の受信タイミング差を蓄積し、該蓄積された受信タイミング差を考慮して所定時間幅の期間を受信タイミングとし、これによりパスサーチ範囲を狭めて信号復調処理を軽減するものである。しかし、従来技術は、前進基地局を備えたセル構成における前記前進距離やセル半径に応じた遅延時間に起因するパスサーチ範囲の拡大を防止するものではない。
以上から、本発明の目的は、前進距離やセル半径に応じた遅延期間をデータ受信タイミングから除外して不要なデータ受信や処理を削減することである。
本発明の目的は、データ受信時間を短縮して遅延プロファイルの時間幅すなわちパスサーチ範囲を狭め、処理を軽減することである。
本発明の別の目的はハンドオーバにおいても、各セル固有の前進距離、セル半径に応じた遅延時間を考慮することで不要なデータ受信や処理を削減することである。
【課題を解決するための手段】
【００１０】
上記課題は本発明によれば、前進基地局を経由して移動機との間で通信を行なう無線基地局装置、該無線基地局装置におけるパスサーチ回路及びパスサーチ方法により達成される。
本発明の無線基地局装置は、該無線基地局装置と前進基地局間の距離及び該前進基地局のセル半径に基づいてセル内に存在する移動機から送信されるデータの受信タイミングを決定する受信タイミング決定部、前記受信タイミングで受信動作を行って前記移動機からのデータを受信するデータ受信部、該受信データに基づいて遅延プロファイルを作成する遅延プロファイル作成部、該遅延プロファイルに基づいて前記移動機からのパスを検出すパス検出部、検出されたパスを介して受信した信号よりデータを復調する復調部を備えている。尚、前記前進基地局には、前進基地局に順次カスケード接続される前進基地局が含まれる。
前記無線基地局装置は、更に、移動機の移動に伴うハンドオーバを制御するハンドオーバ制御部を備え、該ハンドオーバ制御部の制御に基づいて、前記受信タイミング決定部はハンドオーバに関係するセルを介して該移動機が送信するデータの受信タイミングを決定し、遅延プロファイル作成部は各受信タイミングで前記セルより受信したデータに基づいて遅延プロファイルを作成し、前記パス検出部は、前記作成した全遅延プロファイルより電力が大きいパスを検出する。
この場合、ハンドオーバ制御部は、前記各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する。また、ハンドオーバ制御部はハンドオーバ中移動機の全セルにおけるチャネルを管理し、全チャネルの遅延プロファイルが揃った移動機から前記パス検出を行なう。また、ハンドオーバ制御部はハンドオーバ中の移動機の全セルにおけるチャネルを管理し、全チャネルの遅延プロファイルが揃った移動機から前記パス検出を行なう。
【００１１】
本発明の無線基地局装置におけるパスサーチ回路は、無線基地局装置と前進基地局間の距離及び該前進基地局のセル半径に基づいてセル内に存在する移動機から送信されるデータの受信タイミングを決定する受信タイミング決定部、前記受信タイミングで受信動作を行って前記移動機からのデータを受信するデータ受信部、該受信データに基づいて遅延プロファイルを作成する遅延プロファイル作成部、該遅延プロファイルに基づいて前記移動機からのパスを検出すパス検出部を備えている。
前記パスサーチ回路は、移動機の移動に伴うハンドオーバを制御するハンドオーバ制御部を備え、該ハンドオーバ制御部の制御に基づいて、前記受信タイミング決定部はハンドオーバに関係するセルを介して該移動機が送信するデータの受信タイミングを決定し、遅延プロファイル作成部は各受信タイミングで前記各セルより受信したデータに基づいて遅延プロファイルを作成し、前記パス検出部は、前記作成した全遅延プロファイルより電力が大きいパスを検出する。
この場合、ハンドオーバ制御部は、前記各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する。また、ハンドオーバ制御部はハンドオーバ中の移動機の全セルにおけるチャネルを管理し、全チャネルの遅延プロファイルが揃った移動機から前記パス検出を行なう。
【００１２】
本発明のパスサーチ方法は、前進基地局装置を介して移動機との間で通信を行なうと共に、移動機から前進基地局までのパスを検出し、該パスより受信した信号よりデータを復調する無線基地局装置におけるパスサーチ方法であり、無線基地局装置と前進基地局間の距離及び該前進基地局のセル半径に基づいてセル内に存在する移動機から送信されるデータの受信タイミングを決定するステップ、前記受信タイミングで受信動作を行って前記移動機からのデータを受信するステップ、該受信データに基づいて遅延プロファイルを作成するステップ、該遅延プロファイルに基づいて前記移動機からのマルチパスを検出するステップを有している。
【発明の効果】
【００１３】
本発明によれば、前進距離やセル半径に応じた遅延期間をデータ受信タイミングから除外したから、不要なデータ受信や処理を削減することができる。
本発明によれば、前進距離やセル半径に応じた遅延期間をデータ受信タイミングから除外したから、データ受信時間を短縮して遅延プロファイルの時間幅すなわちパスサーチ範囲を狭め、処理を軽減することができる。この結果、パス検出処理を軽減でき、また、回路規模の増大や収容チャネル数の低減を防止することができる。
本発明によれば、ハンドオーバにおいても各セル固有の前進距離、セル半径に応じた遅延時間を考慮することで不要なデータ受信や処理を削減でき、処理を軽減して回路規模の増大や収容チャネル数の低減を防止することができる。
【発明を実施するための最良の形態】
【００１４】
図１は本発明の実施形態説明図である。無線基地局装置１１と前進基地局５１間は光ケーブル６１で接続され、光通信できるようになっている。受信タイミング決定部１２は無線基地局装置１１と前進基地局５１間の距離及び該前進基地局のセル半径に基づいてセル内に存在する移動機７１から送信されるデータの受信タイミングを決定する。データ受信部１３は前記受信タイミングで受信動作を行って移動機７１からのデータを受信して格納する。遅延プロファイル作成部１４は該受信データに基づいて遅延プロファイルを作成し、パス検出部１５は該遅延プロファイルに基づいて移動機７１からのマルチパスを検出し、復調部１６は検出したマルチパスを介して受信した信号より希望信号を取り出して合成し、べースバンド処理部１７は合成信号に基づいてデータの識別、復号処理等を実行する。受信タイミング決定部１２、データ受信部１３、遅延プロファイル作成部１４、パス検出部１５はパスサーチ回路を形成する。
ハンドオーバ時、ハンドオーバ制御部１８の制御に基づいて、受信タイミング決定部１２はハンドオーバに関係するセルを介して移動機が送信するデータの受信タイミングを決定し、遅延プロファイル作成部１４は各受信タイミングで前記各セルより受信したデータに基づいて遅延プロファイルを作成し、パス検出部１５は、前記作成した全遅延プロファイルより電力が大きいパスを検出する。
【実施例１】
【００１５】
図２は本発明の無線基地局装置の構成図であり、無線基地局装置１１に前進基地局５１1〜５１6が光ケーブル６１1〜６１6により双方向に通信可能に接続されている。各前進基地局５１1〜５１6は同一の構成を備え、アンプ部を備えた送受信部５２、光信号から電気信号に変換すると共に電気信号を光信号に変換するＯ／Ｅ変換部５３及びアンテナ受信信号をＡＤ変換し、無線基地局装置１１から送られたきたデータをアナログに変換するＡＤ／ＤＡ変換部５４、アンテナ５５を備えている。各前進基地局５１1〜５１6は移動機７１1〜７１6から受信した信号をディジタルに変換した後光信号にして無線基地局装置１１に送出し、また、無線基地局装置１１から受信した信号を電気信号に変換した後アナログに変換して７１1〜７１6に送出する。
無線基地局装置１１において、Ｏ／Ｅ変換部２１は光ケーブル６１1〜６１6を介して入力した光信号を電気信号に変換して取り込み、また、図示しない変調部から入力したディジタルデータを光信号に変換して光ケーブルに送出する。
前進距離測定部２２は、ケーブル長の測定に広く用いられている周知の方式（TDR法やOTDR法等）に基づいて無線基地局装置１１と各前進基地局５１1〜５１6間のケーブル長を前進距離ｄiとして測定し、前進距離格納メモリ２３に格納する。前進距離の測定は一定期間毎に行われ、前進距離格納メモリ２３は常に最新の値に更新されている。基地局構成パラメータ格納メモリ２４には、基地局の設置情報（各セルＣＬ１〜ＣＬ６のセル半径、各チャネルの受信開始タイミング、各セルの現在のユーザ数など）が格納されている。
【００１６】
ＭＰＵ２５は、データ開始タイミング決定制御やハンドオーバ制御等を行う。MPU２５の受信タイミング決定制御部２５ａはデータ開始タイミング決定に際して、前進距離やセル半径、チャネルの受信開始タイミングを用いて、各セルの各チャネルにおける受信タイミングおよび範囲（受信時間幅）を算出する。いま、第１セルＣＬ１に存在する移動機７１1に割り当てられているチャネル１の受信タイミングをT11、第１セルＣＬ１の前進距離（往復）をd1、セル半径（往復）をCELL1とすれば、実際の受信開始タイミングTstart11および受信終了タイミングTend11はそれぞれ次式
Tstart11=T11+t(d1)  ・・・・・・・・・(1)
Tend11 ＝T11+t(d1)+t(CELL1)・・・・・・(2)
により算出できる。ただしt(d1)は前進距離d1を遅延時間に換算する関数、t(CELL1)はセル半径CELL1を遅延時間に換算する関数である。また、各変数の添え字「11」は第１セルＣＬ１の第１チャネルのパラメータであることを示している。MPU２５は受信開始タイミングTstart11および受信終了タイミングTend11が求まれば、これらをセル情報、チャネル情報と共に受信タイミング調整部２６へ送る。受信タイミング調整部２６は、ＭＰＵ２５にて演算された受信開始タイミングTstart11に基づいて第１セルＣＬ１のチャネル１のデータ受信を開始し、受信終了タイミングTend11に基づいてデータ受信を終了し、受信データを第１セルＣＬ１の受信データ格納メモリ２７1のチャネル1の領域に格納する。同様に、全セルの全チャネルについて上記受信タイミングの決定、受信データの受信データ格納メモリ２７1〜２７6への格納制御を行う。
【００１７】
遅延プロファイルデータ生成部２８は各受信データ格納メモリ２７1〜２７6に格納されている第ｉセル第ｊチャネル（ｉ＝１〜６，ｊ＝１〜ｕi，ｕiは第ｉセルのユーザ数）の受信データを用いて遅延プロファイルを作成してパスサーチ部２９に入力する。パスサーチ部２９は入力された遅延プロファイルより、閾値以上の所定数(=フィンガー数)のピーク部分をマルチパスとして検出し、パス情報（パスタイミングなど）を図示しない復調部に入力する。パスサーチ部２９はパス検出に際して、遅延プロファイルの平均干渉電力を計算し、各ピーク電力からこの平均干渉電力を減算し、閾値以上のピーク電力を有するピーク部分を大きい順に所定数選んでマルチパスとする。なお、パスサーチ部２９はセル毎の最新の平均干渉電力を計算して干渉電力格納メモリ３０に格納する。
【００１８】
図３はデータ受信処理フローである。
前進距離測定部２２は、無線基地局装置１１と各前進基地局５１1〜５１6間のケーブル長を前進距離ｄi（ｉ＝１〜６）として測定し、ＭＰＵ２５の受信タイミング決定制御部２５ａは該前進距離ｄiに応じた遅延時間t(d1)を測定し(ステップ１０２)、(1)，(2)式により第ｉセル第ｊチャネル（ｉ＝１〜６，ｊ＝１〜ｕi，ｕiは第ｉセルのユーザ数）の受信開始タイミングTstartijおよび受信終了タイミングTendijを演算し(ステップ１０３)、演算結果を受信タイミング調整部２６にセットする(ステップ１０４)。
受信タイミング調整部２６は、第ｉセル第ｊチャネルについて、受信開始タイミングTstartijに基づいてデータ受信を開始し、受信終了タイミングTendijに基づいてデータ受信を終了し、受信データをセルｉの受信データ格納メモリ２７iのチャネルｊに応じた領域に格納する。同様に、全セルの全チャネルについて上記受信タイミングの決定、受信データの受信データ格納メモリ２７1〜２７6への格納制御を行う(ステップ１０５)。
遅延プロファイルデータ生成部２８は各受信データ格納メモリ２７1〜２７6に格納されている第ｉセル第ｊチャネルの受信データを用いて遅延プロファイルを作成し(ステップ１０６)、パスサーチ部２９は入力された遅延プロファイルに基づいてマルチパスを検出し(ステップ１０７)、パス情報（パスタイミングなど）を図示しない復調部に入力する。
第１実施例によれば、前進距離やセル半径に応じた遅延期間をデータ受信タイミングから除外したから、データ受信時間を短縮して遅延プロファイルの時間幅すなわちパスサーチ範囲を狭め、処理を軽減することができる。この結果、パス検出処理を軽減でき、また、回路規模の増大や収容チャネル数の低減を防止することができる。
【実施例２】
【００１９】
第1実施例は通常の受信時におけるパスサーチ制御であるが、ハンドオーバ時には通常受信時と若干異なるパスサーチ制御を行なう必要がある。その理由はパスサーチ部２９がハンドオーバに関係する全セル(移動元セル、移動先候補セル)を考慮してマルチパス検出する必要があるからである。すなわち、パスサーチ部２９はハンドオーバに関係する全セルよりハンドオーバ中移動機からの送信データを受信して遅延プロファイルを作成し、該作成した全遅延プロファイルを考慮してマルチパス検出を行なう必要があるからである。
図４はハンドオーバ時のパスサーチの処理フローである。
例えば、第１セルＣＬ１で通信していた移動機７１1が、第１セルＣＬ１と第６セルＣＬ６の境界に接近すると周知のハンドオーバ制御が開始し、ＭＰＵ２５にハンドオーバに関係するセルのせる番号及び該セルにおいて移動機７１1に割り当てたチャネル番号が通知される。これにより、ＭＰＵ２５のハンドオーバ制御部２５ｂはパスサーチ部２９に移動機７１1のハンドオーバに関係するセル(第１、第６セル)のセル番号、チャネル番号を通知する(ステップ２０１)。ついで、ＭＰＵ２５の受信タイミング決定制御部２５ａは移動機７１1が送信するデータを第１セルＣＬ１と第６セルＣＬ６のそれぞれから受信するタイミングを(1)，(2)式に基づいて計算し、各受信タイミングを受信タイミング調整部２６にセットする(ステップ２０２)。
【００２０】
受信タイミング調整部２６は、第１セルにおいて移動機７１1に割り当てたチャネルおよび第６セルにおいて移動機７１1に割り当てたチャネルのそれぞれの受信タイミングに基づいてデータを受信し、受信データを受信データ格納メモリ２７1，２７6のチャネルに応じた領域に格納する(ステップ２０３)。
遅延プロファイルデータ生成部２８は各メモリ２７1，２７6に格納されている移動機７１1のチャネルの受信データを用いて遅延プロファイルをそれぞれ作成する(ステップ２０４)。
パスサーチ部２９はステップ２０１で通知された第１、第６セルにおける移動機７１1のチャネルの遅延プロファイルの作成が完了したかチェックし(ステップ２０５)、完了すれば、該２つの遅延プロファイルに基づいてマルチパスを検出し(ステップ２０６)、パス情報（パスタイミングなど）を図示しない復調部に入力する。以上のパス検出制御はハンドオーバが完了するまで行われる。
【００２１】
図５はパス検出処理の説明図であり、（Ａ）は第１セルにおいて移動機に割り当てたチャネルの遅延プロファイルＤＰＦ１（移動機７１1からの信号を、第１セルを介して受信した時の遅延プロファイル）、(Ｂ)は第６セルにおいて移動機に割り当てたチャネルの遅延プロファイルＤＰＦ６（移動機７１1からの信号を、第６セルを介して受信した時の遅延プロファイル）であり、ｔ1〜ｔ1′は第１セルの該当チャネルの受信タイミング、ｔ6〜ｔ6′は第６セルの該当チャネルの受信タイミングである。パスサーチ部２９は遅延プロファイルＤＰＦ１，ＤＰＦ６の両方が作成されると、まず、第１の遅延プロファイルＤＰＦ１についてピーク点の受信タイミングＴ11〜Ｔ13とピーク電力ＰＬ11〜ＰＬ13および平均干渉電力ＩＬ1を計算する。ついで、各ピーク電力ＰＬ11〜ＰＬ13から平均干渉電力ＩＬ1を減算してピーク点の正味の電力Ａ11〜Ａ13を計算する。同様に、第２の遅延プロファイルＤＰＦ６についてピーク点の受信タイミングＴ21〜Ｔ23とピーク電力ＰＬ21〜ＰＬ23および平均干渉電力ＩＬ2を計算する。ついで、各ピーク電力ＰＬ21〜ＰＬ23から平均干渉電力ＩＬ2を減算してピーク点の正味の電力Ａ21〜Ａ23を計算する。
全遅延プロファイルのピーク点における正味の電力が求まれば、これら正味の電力Ａ11〜Ａ13，Ａ21〜Ａ23のうち大きい順に所定数(フィンガー数)の電力を選び、該選ばれた電力に応じたピーク点のタイミングをマルチパスのタイミングであるとしてパスを検出する。
第２実施例によれば、ハンドオーバにおいても、各セル固有の前進距離、セル半径に応じた遅延時間を考慮することで不要なデータ受信や処理を削減でき、処理を軽減して回路規模の増大や収容チャネル数の低減を防止することができる。
【実施例３】
【００２２】
前進基地局を設置したセル構成では、第２実施例で説明したように、ハンドオーバ時にはハンドオーバに関係する全てのセルからS/Nの良いパスを順に選択する必要がある。このため、全セルの遅延プロファイルデータが揃わないとパス検出処理を開始することができない。すなわち、パスサーチ部２９はハンドオーバに関係する全セルの遅延プロファイルが揃ってからパス検出を行なう。しかし、セルからのデータ受信タイミングは異なるため、全ての遅延プロファイルデータが揃うのに時間がかかる。特に、前進距離とセル半径により決まる遅延時間に大きな差が存在する場合には全部の遅延プロファイルが揃うのに長時間を要する。例えば、第1セル１Ｔ１、第６セルＣＬ６間にてハンドオーバ処理を行っており、第１セルＣＬ１の前進距離が第６セルＣＬ６よりも長いとすると、(1)、(2)式より、遅延プロファイルデータの生成完了時刻に差が生じ、最終的に復調部へパス情報を渡すタイミングは、前進距離の長い第１セルに依存することとなる。したがって、その間パスサーチ部２９は他のチャネルの処理を行うことができず、動作効率が下がってしまう。そこで、遅延時間に大きな差がある場合には１チャネルあたりのハードの占有率を下げるために、遅延時間が大きい方の遅延プロファイルデータの生成やパス検出に要する時間を短くするよう制御する必要がある。
【００２３】
第３実施例では、各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する。具体的には、該差が設定値以上の場合には、遅延時間が大きい方の
(1) オーバーサンプル数を少なくして遅延プロファイル演算時間を短縮する、
(2) パスサーチにおいて平均干渉電力の算出を行わず干渉電力格納メモリ内の値を使用してパスサーチ演算時間を短縮する。なお、セル内のユーザ数がほぼ同じであれば平均干渉電力は大幅に変化しない。
上記オーバーサンプル数の制御は遅延プロファイルデータ生成部２８が行う。オーバーサンプル数を半分にすれば遅延プロファイル作成処理にかかる時間を半減できる。また、記憶されている干渉電力値の使用制御はパスサーチ部２９が行う。パスサーチ部２９は通常遅延プロファイルデータより平均干渉電力の算出を行うが、指示により干渉電力格納メモリ３０に格納されている干渉電力値を使用することによりパス検出時間を短縮できる。
【００２４】
図６はハンドオーバ時に処理時間を短縮しない場合(Ａ)とハンドオーバ時に処理時間短縮した場合(Ｂ)における遅延プロファイル作成終了時刻差ΔTの説明図である。ハンドオーバ時に処理時間を短縮しないと、図６(Ａ)に示すように、遅延時間に応じた大きな遅延プロファイル作成終了時刻差ΔTが発生する。なお、ｔ6〜ｔ6′は第６セルからのデータ受信タイミング、ｔ6′′は遅延プロファイル作成終了時刻、ｔ1〜ｔ1′は第１
セルからのデータ受信タイミング、ｔ1′′は遅延プロファイル作成終了時刻である。
しかし、ハンドオーバ時に上記(1)、(2)により遅延プロファイル作成及びパスサーチ処理時間を短縮すれば、図６(B)に示すように、第１セルにおける遅延プロファイル作成終了時刻ｔ1′′が早まり遅延プロファイル作成終了時刻差ΔTが(Ａ)に比べて短くなる。
これにより、チャネルあたりのハード占有率をを低くすることができ、前進基地局を導入する事によるデメリットを軽減させることが可能となる。
【００２５】
図7は第３実施例の遅延プロファイルデータ生成部２８の構成図であり、セレクタ２８ａは受信データ格納メモリ２７1〜２７6から各セル各チャネルの受信データを順次セレクトすると共に、オーバサンプル制御部２８ｂから指示された所定セル所定チャネルの受信データオーバサンプル数を削減して出力する。たとえば、受信データは前進基地局のＡＤ／ＤＡ変換器５４で８倍オーバサンプルされているから、セレクタ２８ｂはオーバサンプル制御部２８ｂからサンプル数の削減が指示されると4倍オーバサンプルデータになるようにデータを間引いて出力する。オーバサンプル制御部２８ｂはＭＰＵ２５(図１)のハンドオーバ制御部２５ｂから指示された所定セル所定チャネルについて、オーバサンプル数を８倍オーバサンプルから4倍オーバサンプルとなるようセレクタ２８ａに指令する。
２５６段の第１のシフトレジスタ２８ｃは２５６ビットの受信データの同相成分Ｉを1ビットづつシフトしながら記憶し、２５６段の第２のシフトレジスタ２８ｄは２５６ビットの受信データの直交成分Ｑを1ビットづつシフトしながら記憶する。逆拡散コード発生部２８eは２５６チップの逆拡散コードを発生し、乗算部２８ｆは２５６チップの拡散コードと２５６個の同相成分Ｉを乗算すると共に、２５６チップの拡散コードと２５６個の直交成分Ｑを乗算して出力する。合成部２８ｇは２５６個の拡散コードと２５６個の同相成分Ｉの乗算結果を合成し、電力変換部２８ｉで電力に変換する。また、合成部２８ｈは２５６個の拡散コードと２５６個の直交成分Ｑの乗算結果を合成し、電力変換部２８ｊで電力に変換する。加算部２８ｋは各電力変換部２８ｉ，２８ｊの出力を加算してある時刻における遅延プロファイルデータを出力する。
従って、第１、第２のシフトレジスタ２８ｃ，２８ｄに受信データの同相成分、直交成分を1ビットづつシフトしながら上記演算を行うことにより、遅延プロファイルデータを作成することができる。そして、オーバサンプル数を8倍から4倍にすることにより、遅延プロファイルの演算時間を半減することができる。
【００２６】
図８は、第３実施例における処理時間制御フローである。
まず、MPU２５はハンドオーバに関係する各セルよりハンドオーバ中移動機のデータを受信するタイミング(受信開始タイミング、受信終了タイミング)を(1)、(2)式により算出する(ステップ３０１)。ついで、最も早く遅延プロファイルデータが生成されるセルの受信終了タイミングTend(min)とその他のセルの受信終了タイミングTendiとのタイミング差ΔＴiを次式
ΔＴi= Tendi−Tend(min)
により計算し(ステップ３０２)、ΔＴiが閾値以上のセルが存在するかチェックし(ステップ３０３)、なければ処理を終了する。一方、ΔＴiが閾値以上の第ｉセルが存在すれば、該第ｉセルにおいて移動機に割り当てたチャネルの遅延プロファイル作成及びパス検出の処理時間を短縮するものと決定し、遅延プロファイルデータ作成部２８とパスサーチ部２９に通知する(ステップ３０４)。これにより、遅延プロファイルデータ作成部２８は第ｉセルの前記チャネルについてオーバサンプル数を８倍から４倍に減少し、パスサーチ部２９は平均干渉電力値として干渉電力格納メモリ３０に記憶されている値を使用する。
第３実施例によれば、前進基地局間でのハンドオーバ時におけるデータ処理時間の高速化が可能となり、チャネルあたりのハード占有率を低くすることができる。
【実施例４】
【００２７】
第４実施例は、ハンドオーバ中のチャネルと該ハンドオーバに関連するセルの対応を管理し、所定のハンドオーバに関係する全チャネルの遅延プロファイルが揃ったときパス検出を行なうものである。
図９は第４実施例を実現するパスサーチ部２９の構成図であり、各セル毎にＮチャネルの遅延プロファイルデータを格納するプロファイルデータ格納用メモリ２９ａ1〜２９ａ6とパス検出部２９ｂを搭載している。
ＭＰＵ２５は遅延プロファイルデータ生成部２８よりセル毎に流れてくるデータを、プロファイルデータ格納用メモリ２９ａ1〜２９ａ6の空きチャネル領域へ格納し、そのデータがハンドオーバ中のものであれば、ハンドオーバに関係するチャネル間の関連付けを管理する（例えば、セル１・ch1とセル５・ch8等）。そして、ハンドオーバに関係する全チャネルの遅延プロファイルデータが揃ったか監視し、全て揃ったチャネルから遅延プロファイルデータをパス検出部２９ｂに転送し、パス検出部２９ｂは転送されてきた複数の遅延プロファイルデータを用いてパス検出を実行する。
第4実施例によれば、パスサーチ部のチャネルあたりの占有率を低くすることができる。
【実施例５】
【００２８】
トンネル内に前進基地局すなわちセルを直線状に複数配置すれば、各セルに１セル分のユーザ数を見込むことができる。しかし、実際にはそれほどユーザ数が多いわけではなく、フルに使用されることはまず考えられない。又、光ケーブルを並行に敷設する必要があり無駄である。また、トンネル内に限らず、道路に沿って直列にセルを配置したい場合や高層ビル内の各階に直列にセルを配置する場合も同様である。
第５実施例は、かかる場合において、図１０に示すように前進基地局５１1，５１2，５１3．．．を光ケーブル６１1，６１2，６１3．．．でカスケード接続して無線基幹基地局装置１１のリソースを有効に活用する。図１０は無線基幹基地局１１のセル半径を50[km]に設定し、各前進基地局５１1，５１2，５１3でのセル半径を10[km]に設定した例である。
図１１は前進基地局の構成図であり、図１の前進基地局構成に加えて受信データ転送部５６が設けられている。この受信データ転送部５６はいずれの前進基地局からのデータであるかを識別可能にするためのヘッダをデータにつけ、無線基幹基地局装置１１に送信するものである。
【００２９】
無線基幹基地局装置１１からの下りデータを受信すれば、各前進基地局のＯ／Ｅ変換部５３は該下りデータを取り込んでアンテナより送信すると共に、スルーして次段の前進基地局に送出する。又、下位の前進基地局から上りデータを受信すれば各前進基地局のＯ／Ｅ変換部５３は該上りデータをそのままスルーして無線基幹基地局装置１１側へ送出する。
以上のように、複数個の前進基地局をカスケード接続すれば、１セル分のユーザ数を複数個の前進基地局でカバーすることとなるため、無線基幹基地局１１のリソースの無駄が無くなる。また、仮に３台の前進基地局をカスケード接続可能であり、無線基幹基地局装置１１に直接６台の前進基地局が接続可能とすれば、実質的に１８台の前進基地局を設置することができる。このため、例えばビルの各フロアに前進基地局を１台づつ設置することが可能となる。
以上の実施例ではマルチパスをサーチして各パスを介して受信した信号から希望信号を取り出して合成するレーク受信機に本発明を適用したが、1本のパスを検出し、該パスを介して受信した信号よりデータを復調する場合にも本発明を適用することができる。
【００３０】
・付記
（付記１） 前進基地局を経由して移動機との間で通信を行なう無線基地局装置において、
無線基地局装置と前進基地局間の距離及び該前進基地局のセル半径に基づいてセル内に存在する移動機から送信されるデータの受信タイミングを決定する受信タイミング決定部、
前記受信タイミングで受信動作を行って前記移動機からのデータを受信するデータ受信部、
該受信データに基づいて遅延プロファイルを作成する遅延プロファイル作成部、
該遅延プロファイルに基づいて前記移動機からのパスを検出すパス検出部、
検出されたパスを介して受信した信号よりデータを復調する復調部、
を備えたことを特徴とする無線基地局装置。
(付記２）無線基地局装置と前進基地局間の距離を測定する手段、
各前進基地局のセルの半径及び各セルに存在する移動機に割り当てたチャネルの受信タイミングを保存するメモリ、
を備え、前記受信タイミング決定部は、前記距離、セル半径、チャネルの受信タイミングに基づいて、チャネル毎に受信開始タイミング、受信終了タイミングを決定する、
ことを特徴とする付記１記載の無線基地局装置。
(付記３） 前記前進基地局には、該前進基地局にカスケード接続された前進基地局が含まれることを特徴とする付記１記載の無線基地局装置。
(付記４） 移動機の移動に伴うハンドオーバを制御するハンドオーバ制御部を備え、該ハンドオーバ制御部の制御に基づいて、前記受信タイミング決定部はハンドオーバに関係するセルのそれぞれを介して該移動機が送信するデータの受信タイミングを決定し、遅延プロファイル作成部は前記決定した各受信タイミングで各セルから受信したデータに基づいて遅延プロファイルを作成し、前記パス検出部は、前記作成した全遅延プロファイルより電力が大きいパスを検出する、
ことを特徴とする付記１乃至３記載の無線基地局装置。
(付記５） 前記ハンドオーバ制御部は、前記各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する、
ことを特徴とする付記４記載の無線基地局装置。
(付記６） 前記ハンドオーバ制御部は、
受信データのオーバサンプル数が少なくなるようにして遅延プロファイル作成時間を短縮する、
ことを特徴とする付記５記載の無線基地局装置。
(付記７） セル毎に干渉電力を格納するメモリを設け、
前記ハンドオーバ制御部は、平均干渉電力の算出を行なわず該メモリに記憶されている干渉電力を使用することによりパス検出の処理時間を短縮する、
ことを特徴とする付記５記載の無線基地局装置。
(付記８） 前記ハンドオーバ制御部は、ハンドオーバ中の移動機の全セルにおけるチャネルを管理し、全チャネルの遅延プロファイルが揃った移動機から前記パス検出を行なう、
ことを特徴とする請求項４記載の無線基地局装置。
(付記９）前進基地局を介して移動機との間で通信を行なうと共に、移動機から前進基地局までのパスを検出し、該パスより受信した信号よりデータを復調する無線基地局装置におけるパスサーチ回路において、
無線基地局装置と前進基地局間の距離及び該前進基地局のセル半径に基づいてセル内に存在する移動機から送信されるデータの受信タイミングを決定する受信タイミング決定部、
前記受信タイミングで受信動作を行って前記移動機からのデータを受信するデータ受信部、
該受信データに基づいて遅延プロファイルを作成する遅延プロファイル作成部、
該遅延プロファイルに基づいて前記移動機からのパスを検出すパス検出部、
を備えたことを特徴とするパスサーチ回路。
(付記１０） 無線基地局装置と前進基地局間の距離を測定する手段、
各前進基地局のセル半径及び各セルに存在する移動機に割り当てたチャネルの受信タイミングを保存するメモリ、
を備え、前記受信タイミング決定部は、前記距離、セル半径、チャネルの受信タイミングに基づいて、チャネル毎に受信開始タイミング、受信終了タイミングを決定する、
ことを特徴とする付記９記載のパスサーチ回路。
(付記１１） 移動機の移動に伴うハンドオーバを制御するハンドオーバ制御部を備え、該ハンドオーバ制御部の制御に基づいて、前記受信タイミング決定部はハンドオーバに関係するセルのそれぞれを介して該移動機が送信するデータの受信タイミングを決定し、遅延プロファイル作成部は前記決定した各受信タイミングで各セルから受信したデータに基づいて遅延プロファイルを作成し、前記パス検出部は、前記作成した全遅延プロファイルより電力が大きいパスを検出する、
ことを特徴とする付記９または１０記載のパスサーチ回路。
(付記１２） 前記ハンドオーバ制御部は、前記各受信タイミングを参照して、最も早く遅延プロファイルが生成されるタイミングと、その他の遅延プロファイルが生成されるタイミングとの差を演算し、該差が設定値以上の場合には、遅延プロファイル作成及びパス検出のトータルの処理時間が短縮するように制御する、
ことを特徴とする付記１１記載のパスサーチ回路。
(付記１３） 前記ハンドオーバ制御部は、ハンドオーバ中の移動機の全セルにおけるチャネルを管理し、全チャネルの遅延プロファイルが揃った移動機から前記パス検出を行なう、
ことを特徴とする請求項１１記載のパスサーチ回路。
(付記１４）前進基地局を介して移動機との間で通信を行なうと共に、移動機から前進基地局までのパスを検出し、該パスより受信した信号よりデータを復調する無線基地局装置におけるパスサーチ方法おいて、
無線基地局装置と前進基地局間の距離及び該前進基地局のセル半径に基づいてセル内に存在する移動機から送信されるデータの受信タイミングを決定し、
前記受信タイミングで受信動作を行って前記移動機からのデータを受信し、
該受信データに基づいて遅延プロファイルを作成し、
該遅延プロファイルに基づいて前記移動機からのパスを検出する、
ことを特徴とするパスサーチ方法。
(付記１５） 各前進基地局のセル半径及び各セルに存在する移動機に割り当てたチャネルの受信タイミングを予めメモリに保存しておき、
無線基地局装置と前進基地局間の距離を測定し、
前記距離、セル半径、チャネルの受信タイミングに基づいて、チャネル毎にデータ受信開始タイミング、データ受信終了タイミングを決定する、
ことを特徴とする付記１４記載のパスサーチ方法。
(付記１６） 移動機の移動に伴うハンドオーバを時、ハンドオーバに関係するセルのそれぞれを介して該移動機が送信するデータの受信タイミングを決定し、
各受信タイミングで前記各セルからの受信動作を行ない、
各受信データに基づいて遅延プロファイルを作成し、
前記作成した全遅延プロファイルより電力が大きいパスを検出する、
ことを特徴とする付記１４乃至１５記載のパスサーチ方法。
(付記１７） 前記各受信タイミングを参照して、最も早く遅延プロファイルが生成されるタイミングと、その他の遅延プロファイルが生成されるタイミングとの差を演算し、
該差が設定値以上の場合には、遅延プロファイル作成及びパス検出のトータルの処理時間が短縮するように制御する、
ことを特徴とする付記１６記載のパスサーチ方法。
(付記１８） 受信データのオーバサンプル数が少なくなるようにして遅延プロファイル作成時間を短縮する、
ことを特徴とする付記１７記載のパスサーチ方法。
(付記１９） 前進基地局毎に干渉電力を格納するメモリを設け、
平均干渉電力の算出を行なわず該メモリに記憶されている干渉電力を使用することによりパス検出の処理時間を短縮する、
ことを特徴とする付記１７記載のパスサーチ方法。
(付記２０） ハンドオーバ中の移動機の全セルにおけるチャネルを管理し、全チャネルの遅延プロファイルが揃った移動機から前記パス検出を行なう、
ことを特徴とする付記１６記載のパスサーチ方法。
【図面の簡単な説明】
【００３１】
【図１】本発明の実施形態説明図である。
【図２】本発明の無線基地局装置の構成図である。
【図３】データ受信処理フローである。
【図４】ハンドオーバ時のパスサーチの処理フローである。
【図５】パス検出処理の説明図である。
【図６】ハンドオーバ時に処理時間を短縮しない場合とハンドオーバ時に処理時間短縮した場合における遅延プロファイル作成終了時刻差ΔTの説明図である。
【図７】第３実施例の遅延プロファイルデータ生成部の構成図である。
【図８】第３実施例における処理時間制御フローである。
【図９】第４実施例を実現するパスサーチ部の構成図である。
【図１０】第５実施例の前進基地局のカスケード接続配置例である。
【図１１】カスケード接続用の前進基地局の構成図である。
【図１２】無線基幹基地局装置の第１のセル構成説明図である。
【図１３】基地局装置を構成するパスサーチ部とレーク合成／復調部のブロック図である。
【図１４】遅延プロファイル説明図である。
【図１５】前進基地局を備えた別のセル構成図である。
【図１６】基地局装置と移動機間の送受シーケンスである。
【符号の説明】
【００３２】
１１  無線基地局装置
１２  受信タイミング決定部
１３  データ受信部
１４  遅延プロファイル作成部
１５  パス検出部
１６  復調部
１７  べースバンド処理部
１８  ハンドオーバ制御部
５１  前進基地局
７１  移動機
【図１】
2006101308.tif 000003
【図２】
2006101308.tif 000004
【図３】
2006101308.tif 000005
【図４】
2006101308.tif 000006
【図５】
2006101308.tif 000007
【図６】
2006101308.tif 000008
【図７】
2006101308.tif 000009
【図８】
2006101308.tif 000010
【図９】
2006101308.tif 000011
【図１０】
2006101308.tif 000012
【図１１】
2006101308.tif 000013
【図１２】
2006101308.tif 000014
【図１３】
2006101308.tif 000015
【図１４】
2006101308.tif 000016
【図１５】
2006101308.tif 000017
【図１６】
2006101308.tif 000018